(57)【要約】【課題】幅方向に細長い形状のコネクタにおいて、リテーナの中間部の浮き上がりを防止しつつ、幅方向の寸法の大型化を防止する。【解決手段】ハウジング１１の上面の幅方向中央位置に設けたロックアーム１３の形成領域ではキャビティ１２が隣接する他の部分より段数が少ない設定となっているものにおいて、リテーナはロックアーム１３の形成領域に対応する中間部分２４を除いて各キャビティ１２の隣接位置に挿入される隔壁２５を備える。中間部分２４の両側に隣接する隔壁２５Ａは、リテーナ２１の本係止位置において、ロックアーム１３の形成領域に対応してハウジング１１の下面側に突出した段差部１４の両側面に重って係止可能としている。【選択図】　図９
2004134311.tif 000002
【特許請求の範囲】
【請求項１】
複数の端子金具と、該端子金具を収容可能な複数のキャビティを高さ方向より幅方向に長く並設したハウジングと、上記各キャビティに連通して上記ハウジングの下面に幅方向へ開放するリテーナ装着孔に装着されるリテーナとからなり、該リテーナは端子金具の挿入を許容する仮係止位置から更に深く挿入されることで係止部によって端子金具を抜け止め保持する本係止位置へ移動可能とされ、この本係止位置で上記リテーナの両側とリテーナ装着孔との間に設けた係止手段によってリテーナを係止可能としたコネクタであって、
上記ハウジングの上面の幅方向中央位置には相手側コネクタと嵌合係止するためのロックアームが設けられ、該ロックアームの形成領域では上記キャビティが隣接する他の部分より段数が少ない設定となっているものにおいて、
上記リテーナは上記ロックアームの形成領域に対応する中間部分を除いて上記各キャビティ間の隣接位置に挿入される隔壁を備え、上記中間部分の両側に隣接する隔壁はリテーナの本係止位置において、上記ロックアームの形成領域に対応してハウジングの下面側に突出した段差部の両側面に重なる状態とし、この重なり部に互いに係止して上記リテーナの中間部分を係止可能な係合手段を設けたことを特徴とするコネクタ。
【請求項２】
上記係合手段は上記隔壁内面に対向方向に突設した係止突起と上記段差部の両側に形成したスリットとからなり、上記リテーナの本係止位置において上記係止突起が上記スリットに弾性的に係合する構成としている請求項１に記載のコネクタ。
【発明の詳細な説明】
【０００１】
【発明の属する技術分野】
本発明はコネクタに関し、詳しくは、リレーナの中間部分の浮き上がり防止を図るものである。
【０００２】
【従来の技術】
従来から、ハウジング内に挿入される端子金具の抜け防止を強化するために、リテーナを用いたものが知られている（例えば、特許文献１参照）。このものは、図１０（Ａ）〜（Ｃ）に示すように、ハウジング１の下面に開口されたリテーナ挿入孔２に端子金具の挿入方向と直交する方向からリテーナ３を挿入可能となっている。このリテーナ３は、先ず端子金具のキャビティ１ａへの挿入が可能な仮係止位置に保持され、端子金具の挿入後により深い位置の本係止位置に挿入されることで、端子金具に対しリテーナ３の係止突部３ａを係止させて抜けを防止するようにしている。
【０００３】
【特許文献１】
特開２０００−３２３２２４号公報
【０００４】
そして、リテーナ３はリテーナ挿入孔２の両端部３ｂによって本係止位置に係止保持されるようになっている。ところが、特にキャビティ１ａが幅方向に多く並設され、高さ方向に段数の少ない設定のハウジング１においては、リテーナ３は幅方向に細長い形状となり、剛性不測に起因して本係止位置においても中央部が浮き上がって端子金具の係止機能が不十分となるおそれがある。このため、リテーナ３の中間部に中間係止部５を追加設定すると共に、ハウジング１側には中間係止受け部１ｂを設けることでリテーナ３の中間位置での浮き上がりを防止するようにしている。
【０００５】
【発明が解決しようとする課題】
上記構造のコネクタにおいては、中間係止部５と中間係止受け部１ｂを設けたことでリテーナ３中央部の浮き上がりを防止できるが、これらの追加構造により、幅方向の寸法が長尺化すると共に、キャビティ１ａの狭いピッチを揃えることが困難になるという問題がある。
【０００６】
本発明は、上記した問題に鑑みてなされたものであり、幅方向に細長い形状のコネクタにおいて、リテーナの中間部の浮き上がりを防止しつつ、幅方向の寸法の長尺化やキャビティのピッチが不揃いとならないコネクタを提供することを課題としている。
【０００７】
【課題を解決するための手段】
上記課題を解決するために、本発明は、複数の端子金具と、該端子金具を収容可能な複数のキャビティを高さ方向より幅方向へ長く並設したハウジングと、上記各キャビティに連通して上記ハウジングの下面に幅方向に開放するリテーナ装着孔に装着されるリテーナとからなり、該リテーナは端子金具の挿入を許容する仮係止位置から更に深く挿入されることで係止部によって端子金具を抜け止め保持する本係止位置へ移動可能とされ、この本係止位置で上記リテーナの両側とリテーナ装着孔との間に設けた係止手段によってリテーナを係止可能としたコネクタであって、
上記ハウジングの上面の幅方向中央位置には相手側コネクタと嵌合係止するためのロックアームが設けられ、該ロックアームの形成領域では上記キャビティが隣接する他の部分より段数が少ない設定となっているものにおいて、
上記リテーナは上記ロックアームの形成領域に対応する中間部分を除いて上記各キャビティ間の隣接位置に挿入される隔壁を備え、上記中間部分の両側に隣接する隔壁はリテーナの本係止位置において、上記ロックアームの形成領域に対応してハウジングの下面側に突出した段差部の両側面に重なる状態とし、この重なり部に互いに係止して上記リテーナの中間部を係止可能な係合手段を設けたことを特徴とするコネクタを提供している。
【０００８】
上記構成によれば、リテーナの中間部分において隣接するキャビティを区割りする隔壁を利用してハウジング側の段差部との間で係合可能としているので、リテーナの中間部を本係止位置で確実に係止できると共に、係止のための幅方向、高さ方向のスペースを特別に設ける必要がない。よって、リテーナの浮き上がりを防止できると共に、コネクタを小型化することができる。
【０００９】
上記係合手段は上記隔壁内面に対向方向に突設した係止突起と上記段差部の両側に形成したスリットとからなり、上記リテーナの本係止位置において上記係止突起が上記スリットに弾性的に係合する構成とするのが好ましい。
このようにすれば、スリットに係止突起が弾性的に係合することでリテーナの中間部を確実に係止固定することができ、その構造も簡易にすることができる。
【００１０】
なお、上記構成からなるコネクタは、特にキャビティが上下２段で中間部分が１段のものであって、リテーナにおける中間部分が基板のみからなり、両側に隣接する他の領域における１段目の隔壁間が幅方向に連結した格子状のものに適している。すなわち、中間部において剛性がなく屈曲しやすいリテーナでは、中間部の浮き上がりが生じやすいため、中間部に設けた係合手段によるリテーナの係止固定作用によって浮き上がりを確実に防止することができる。
【００１１】
【発明の実施の形態】
以下、本発明の実施形態を図面を参照して説明する。
図１は本発明のコネクタ１０を示し、合成樹脂製のハウジング１１と、ハウジング１１の複数のキャビティ１２内に挿入される端子金具Ｔからなっている（図７（Ａ）（Ｂ））。本実施形態では、ハウジング１１は高さ方向の寸法に比し幅方向に極端に長い形状をなしている。キャビティ１２は幅方向に２３列、高さ方向に２段にわたって並設され、上面のロックアーム１３が形成された領域である中間部の６列のキャビティ１２は他の部分より段数の少ない１段となっている。ロックアーム１３は相手側コネクタ（図示せず）との嵌合面となる前面側から背面側に向かって片持ち梁状に延出されて上下方向に撓み変形可能であり、上面中央には相手側コネクタと嵌合係止するためのロック爪１３ａを突設している。このロックアーム１３の上面はハウジング１１の上面と面一状態となっており、このためロックアーム１３の形成領域にはハウジング１１の上面側から内方へ１段下がった段差部１４が形成され、この段差部１４をロックアーム１３の撓み領域としている。段差部１４の幅はちょうど６列のキャビティ１２の幅に相当し、ロックアーム１３の両側面との間に隙間１４ａを有している。
【００１２】
各キャビティ１２は、図７（Ａ）（Ｂ）に示すように、ハウジング１１の前後方向に貫通して形成されており、それぞれ端子金具Ｔを後方から差し込んで、内部に収容可能となっている。また、各キャビティ１２内の下面中央部には、図４（Ａ）に示すように、撓み変形可能なランス１５が設けられており、各端子金具Ｔと弾性的に係止可能となっている。
【００１３】
さらに、ハウジング１１の下面には、図２（Ｂ）に示すように、リテーナ２１を装着するためのリテーナ装着孔１６が幅方向ほぼ全域に渡って開放されている。このリテーナ装着孔１６は、図４（Ａ）（Ｂ）に示すように、各キャビティ１２に連通する深さを有している。なお、ロックアーム１３の形成領域に対応する中間部分の６つのキャビティ１２に対しては、１段分の深さとしている。また、リテーナ装着孔１６の両側端部に位置するハウジング１１の側壁には、図３に示すように、リテーナ２１を浅い挿入深さの仮係止位置と、深い挿入深さの本係止位置で保持するための二段の突起からなる係止受け部１７を突設している。
【００１４】
リテーナ２１は、図５（Ａ）（Ｂ）に示すように、ハウジング１１と同様に合成樹脂製にて成形され、ハウジング１１の幅寸法に対応する平板状をなす基板２２と、この基板２２の両側端面には垂直上方へ一体突設された側板２３を備えている。この側板２３の内面には、ハウジング１１の係止受け部１７に対し仮係止位置と本係止位置でそれぞれ係止可能な係止凹部２３ａを設け、この係止凹部２３ａと係止受け部１７とによって、リテーナ２１の両側端面を係止固定する係止手段としている（図８）。
【００１５】
また、リテーナ２１には、ロックアーム１３の形成領域に対応する中間部分２４を除く両側に各キャビティ１２の一段目の隣接位置まで挿入可能な隔壁２５を基板２２から垂直上方に突設している。そして、各隔壁２５の上端部を連結板２６により幅方向に連結することで、中間部分２４を除いて格子状の枠体を形成している。基板２２および連結板２６の上面にはキャビティ１２に正規位置まで挿入された端子金具Ｔにおける接続部Ｔａの後端に係止することで端子金具Ｔを抜け止め保持するための突起部２７を突設している。この突起部２７はリテーナ２１の仮係止位置では端子金具Ｔに干渉せずその挿入を許容し、本係止位置まで押し込まれたとき、端子金具Ｔに係合して端子金具Ｔの抜け止めを可能とする突出寸法に設定されている（図７（Ａ）（Ｂ））。
【００１６】
リテーナ２１の中間部分２４の両側に隣接する各隔壁２５Ａと、ハウジング１１の段差部１４の両側外面との間には、リテーナ２１が本係止位置にあるとき、隔壁２５Ａが段差部１４の両側面が重なる状態とし、その間に中間部分２４の浮き上がりを防止するための係合手段２８を設けている。係合手段２８は、隔壁２５Ａの内面に対向する方向に向けて突設した端子金具Ｔの挿入方向に延びる線状の係止突起２８ａ（図６（Ａ）（Ｂ））と、段差部１４の両側面に係止突起２８に対応してリテーナ装着孔１６と隙間１４ａとの間を連通するようにして形成したスリット２８ｂとからなっている（図９（Ａ）（Ｂ））。このスリット２８ｂに係止突起２８ａが係止することで、リテーナ２１の中間部分２４を係止保持可能としている。
【００１７】
次に、上記構成からなる実施形態の作用について説明する。
先ず、ハウジング１１のリテーナ装着孔１６に対しリテーナ２１を軽く押し込む（図７（Ａ））。すると、リテーナ２１の両側板２３の係止凹部２３ａがハウジング１１側の一段目の係止受け部１７にそれぞれ係止し（図８）、リテーナ２１はハウジング１１の下面から少し突出した状態の仮係止位置に保持される。
【００１８】
次に、ハウジング１１の各キャビティ１２内に後方から端子金具Ｔをランス１５によって一次係止される正規深さまで挿入する。しかる後、リテーナ２１を更に押圧して、仮係止位置からより深い本係止位置まで挿入する（図７（Ｂ））。すると、リテーナ２１の係止凹部２３ａがハウジング１１の二段目の係止受け部１７に係合してリテーナ２１が本係止位置に保持される。また、同時にリテーナ２１の中間部分２４も押圧されて、リテーナ２１が本係止位置へ更に挿入されるのに伴って、図９（Ｂ）に示すように、中間部分２４の両側に位置する隔壁２５Ａに設けた係止突起２８ａが、ハウジング１１側の段差部１４に設けたスリット２８ｂに弾性的に係止する。この結果、リテーナ２１は幅方向全域に渡って均等にリテーナ装着孔１６に押し込まれ、基板２２はハウジング１１の下面と面一の状態となる。
【００１９】
これにより、各キャビティ１２に対応してリテーナ２１に設けた突起部２７が端子金具Ｔの接続部Ｔａの後端に位置するため、端子金具Ｔはリテーナ２１により二次係止された状態となる。そして、両端および中間部分２４が係止受け部１７と係止凹部２３ａ、係止突起２８ａとスリット２８ｂによって確実に係止保持されるので、中間部分２４の浮き上がりによって、中間部分２４での二次係止機能が作用しなくなるというおそれがない。本実施形態においては、両端方では隔壁２５が連結板２６によって格子状に連結されて撓みが生じにくい構成となっている一方、中間部分２４は略一枚板の状態で非常に撓み易い状態となっているため、中間部分２４の浮き上がり防止対策が非常に有効となる。
【００２０】
また、中間部分２４の浮き上がりを防止する係合手段２８は、隔壁２５Ａの上端、即ち２段目の連結板２６の高さ位置に設けた係止突起２８ａと、ロックアーム１３の形成領域のために１段下がった段差部１４の両外面のスリット２８ｂとの間に設けている。このため、係合手段２８が中間部分２４に配列された１段のキャビティ１２間のピッチに影響を与えることがなく、コネクタ１０が大型化するのを防止している。
【００２１】
なお、上記実施形態においては、雌型のコネクタ１０について説明したが雄型コネクタについても同様に適用することができる。また、リテーナ２１の中間部分２４の浮き上がりを防止する係合手段２８として、リテーナ２１側に係止突起２８ａ、ハウジング１１側にスリット２８ｂを設ける設定としたが、突起とスリットを逆に配置してもよく、更に突起同士、凹凸等の係合手段２８として弾性係止の種々の構成を選択可能である。また、上記実施形態では、キャビティ１２の配置が上下２段で、ロックアーム１３の配置された中間部が１段のものを示したが、リテーナ２１の中間部分２４が撓み易く、浮き上がりが生じ易いものであれば、更に多くの段数を備えたものにも適用可能である。
【００２２】
【発明の効果】
以上の説明より明らかなように本発明では、ハウジングの段差部の両側面と、リテーナの中間部分の両側に隣接する隔壁とは、係合手段により互いに係止することができる。よって、幅方向に細長いリテーナにおいても、中間部分が係止されるため、リテーナの浮き上がりを確実に防止できる。また、その係合手段としては、リテーナおよびハウジング側に別途構成部材を追加することなく、隔壁と段差部との間で係合可能としているため、幅方向の寸法が増加することなく、正規のキャビティピッチを維持することができ、コネクタ自体が大型化することもない。
【図面の簡単な説明】
【図１】本発明のコネクタの実施形態を示す斜視図である。
【図２】（Ａ）はハウジングの正面図、（Ｂ）は平面図である。
【図３】ハウジングの側面図である。
【図４】（Ａ）は図２（Ａ）のＸ−Ｘ断面図、（Ｂ）は図２（Ａ）のＹ−Ｙ断面図ある。
【図５】（Ａ）リテーナの平面図、（Ｂ）は正面図である。
【図６】（Ａ）リテーナの要部を示す一部拡大平面図、（Ｂ）は同じく一部拡大正面図、（Ｃ）は図５のＺ−Ｚ断面図である。
【図７】（Ａ）はリテーナの仮係止位置の状態を示す断面図、（Ｂ）は本係止位置の状態を示す断面図である。
【図８】リテーナの仮係止位置の状態を示す左半部の横断面図である。
【図９】（Ａ）は仮係止位置での係合手段の要部を示す一部拡大断面図、（Ｂ）は同じく本係止位置での状態を示す一部拡大断面図。
【図１０】（Ａ）は従来例のコネクタを示す正面図、（Ｂ）は底面図、図（Ｃ）はリテーナの正面図である。
【符号の説明】
１０　コネクタ
１１　ハウジング
１２　キャビティ
１３　ロックアーム
１４　段差部
１６　リテーナ装着孔
１７　係止受け部（係止手段）
２１　リテーナ
２３ａ　係止凹部（係止手段）
２４　中間部分
２５、２５Ａ　隔壁
２８　係合手段（係合手段）
２８ａ　係止突起（係合手段）
２８ｂ　スリット
Ｔ　端子金具
【図１】
2004134311.tif 000003
【図２】
2004134311.tif 000004
【図３】
2004134311.tif 000005
【図４】
2004134311.tif 000006
【図５】
2004134311.tif 000007
【図６】
2004134311.tif 000008
【図７】
2004134311.tif 000009
【図８】
2004134311.tif 000010
【図９】
2004134311.tif 000011
【図１０】
2004134311.tif 000012